(57)【要約】【課題】バックルを用いてバンドを巻き付け方向と逆に締め付けるようにしたとしても、バックルの部分から光が入り込まないようにすることができるセンサ装着用バンド及び生体情報機器を提供する。【解決手段】伸縮性を有し、利用者の生体情報を検出するセンサ３０を腕部Ｔまたは指部Ｓとの間に挟み込む態様で巻き付けられるセンサ装着用バンドであって、巻き付け方向における一端側にバックル４２を取り付け、他端側の先端部４１ｂをバックル４２に挿通して腕部Ｔまたは指部Ｓに巻き付けたときに、腕部Ｔまたは指部Ｓとバックル４２との間に挟まれる態様で位置し、センサ３０への入光を遮る外光遮断部４１ａを設けた。【選択図】図６
2009100972.tif 000002
【特許請求の範囲】
【請求項１】
伸縮性を有し、利用者の生体情報を検出するセンサを腕部または指部との間に挟み込む
態様で巻き付けられるセンサ装着用バンドであって、
巻き付け方向における一端側にバックルを取り付け、他端側の先端を前記バックルに挿
通して前記腕部または指部に巻き付けたときに、前記腕部または指部と前記バックルとの
間に挟まれる態様で位置し、前記センサへの入光を遮る外光遮断部を設けたことを特徴と
するセンサ装着用バンド。
【請求項２】
前記外光遮断部は、前記バックルの取り付け位置を変更せずに前記一端側の先端を巻き
付け方向へ延ばす態様で形成されていることを特徴とする請求項１に記載のセンサ装着用
バンド。
【請求項３】
前記外光遮断部を袋状に形成し、この外光遮断部の内部に補強部材を挿入したことを特
徴とする請求項１または請求項２に記載のセンサ装着用バンド。
【請求項４】
前記外光遮断部の外側部に補強部材を装着したことを特徴とする請求項１または請求項
２に記載のセンサ装着用バンド。
【請求項５】
前記外光遮断部は、この外光遮断部以外の部分と比較して、屈曲し難い固さに形成され
ていることを特徴とする請求項１または請求項２に記載のセンサ装着用バンド。
【請求項６】
前記外光遮断部の表面を低摩擦材で形成したことを特徴とする請求項１から請求項５の
いずれか１つに記載のセンサ装着用バンド。
【請求項７】
利用者の腕部または指部から生体情報を検出するセンサと、伸縮性を有し、前記腕部ま
たは指部との間に前記センサを挟み込む態様で巻き付けられ、この巻き付けられた張力に
よって前記センサを前記腕部または指部に押圧するバンドと、前記センサの検出情報に従
って生体情報値を表示する本体部とを備えた生体情報機器において、
前記バンドは、巻き付け方向における一端側にバックルを取り付け、他端側の先端を前
記バックルに挿通して前記腕部または指部に巻き付けたときに、前記腕部または指部と前
記バックルとの間に挟まれる態様で位置し、前記センサへの入光を遮る外光遮断部を設け
たことを特徴とする生体情報機器。
【請求項８】
前記外光遮断部は、前記バックルの取り付け位置を変更せずに前記一端側の先端を巻き
付け方向へ延ばす態様で形成されていることを特徴とする請求項７に記載の生体情報機器
。
【請求項９】
前記外光遮断部を袋状に形成し、この外光遮断部の内部に補強部材を挿入したことを特
徴とする請求項７または請求項８に記載の生体情報機器。
【請求項１０】
前記外光遮断部の外側部に補強部材を装着したことを特徴とする請求項７または請求項
８に記載の生体情報機器。
【請求項１１】
前記外光遮断部は、この外光遮断部以外の部分と比較して、屈曲し難い固さに形成され
ていることを特徴とする請求項７または請求項８に記載の生体情報機器。
【請求項１２】
前記外光遮断部の表面を低摩擦材で形成したことを特徴とする請求項７から請求項１１
のいずれか１つに記載の生体情報機器。
【請求項１３】
前記バンドは、前記本体部を腕部に装着するための本体部装着用バンドを兼ねているこ
とを特徴とする請求項７から請求項１２のいずれか１つに記載の生体情報機器。
【発明の詳細な説明】
【技術分野】
【０００１】
本発明は、利用者の腕部または指部に生体情報を検出するセンサを装着可能なセンサ装
着用バンド及び生体情報機器に関する。
【背景技術】
【０００２】
従来より、利用者の腕部（リスト部）または指部に装着して利用者の脈拍を含む生体情
報を測定する生体情報機器が知られている。この生体情報機器は、生体情報を光によって
検出するセンサと、このセンサを検出部位に固定するために、利用者の腕部または指部に
巻き付けられるセンサ装着用バンドと、センサからの検出情報を表示するための本体部と
を備えている。
上述したセンサは、より正確な精度で生体情報を検出するために、上述した検出部位に
適正な圧力（センサが精度よく検出可能な圧力）で押圧される必要がある。この圧力は、
例えば、センサ装着用バンドを伸縮可能な素材で形成し、このバンドを装着時に腕部また
は指部の周方向に締め付けることにより、この締め付ける張力を利用して得ることができ
る。また、センサに適正な圧力を加えるためには、センサ装着用バンドに所定の張力を加
えればよいことになる。（例えば、特許文献１または特許文献２参照）。
【０００３】
一方、バンドを腕部などに巻き付ける際、巻き付け作業を容易にするためにバックルを
用いたものが知られている。具体的には、バンドの長手方向の一端側にバックルを設け、
バンドを腕部などに巻き付けた後にバンドの他端側の先端をバックルに通すと共に、バン
ドの先端をバンドの巻き付け方向と逆に向けて締め込むものがある。
【特許文献１】特開平５−３２９１１７号公報
【特許文献２】特開２００６−５５５１７号公報
【発明の開示】
【発明が解決しようとする課題】
【０００４】
光によって検出するセンサを用いる場合、外部からの光によって検出誤差が生じないよ
うに、検出部位とセンサとの間に外部から光が入り込まないようにすることが好ましい。
しかしながら、上述のバックルを用いた構造では、バンドの一端側に位置するバックルの
部分でバンドの先端をバンド巻き付け方と逆に向けて締め込むため、バックルの部分をバ
ンドで覆うことができずに隙間が生じてしまい、この隙間から外部の光が入り込んでしま
うおそれがある。
【０００５】
そこで、本発明の目的は、上述した従来の技術が有する課題を解消し、バックルを用い
てバンドを巻き付け方向と逆に締め付けるようにしたとしても、バックルの部分から光が
入り込まないようにすることができるセンサ装着用バンド及び生体情報機器を提供するこ
とにある。
【課題を解決するための手段】
【０００６】
上記課題を解決するため、本発明は、伸縮性を有し、利用者の生体情報を検出するセン
サを腕部または指部との間に挟み込む態様で巻き付けられるセンサ装着用バンドであって
、巻き付け方向における一端側にバックルを取り付け、他端側の先端を前記バックルに挿
通して前記腕部または指部に巻き付けたときに、前記腕部または指部と前記バックルとの
間に挟まれる態様で位置し、前記センサへの入光を遮る外光遮断部を設けたことを特徴と
する。
【０００７】
この場合において、前記外光遮断部は、前記バックルの取り付け位置を変更せずに前記
一端側の先端を巻き付け方向へ延ばす態様で形成されていてもよい。
また、センサ装着用バンドであって、前記外光遮断部は、この外光遮断部以外の部分と
比較して、屈曲し難い固さに形成されていてもよい。
また、センサ装着用バンドであって、前記外光遮断部の外側部に補強部材を装着しても
よい。
さらに、センサ装着用バンドであって、前記外光遮断部を袋状に形成し、この外光遮断
部の内部に補強部材を挿入することもできる。
さらにまた、センサ装着用バンドであって、前記外光遮断部の表面を低摩擦材で形成す
ることもできる。
【０００８】
利用者の腕部または指部から生体情報を検出するセンサと、伸縮性を有し、前記腕部ま
たは指部との間に前記センサを挟み込む態様で巻き付けられ、この巻き付けられた張力に
よって前記センサを前記腕部または指部に押圧するバンドと、前記センサの検出情報に従
って生体情報値を表示する本体部とを備えた生体情報機器において、前記バンドは、巻き
付け方向における一端側にバックルを取り付け、他端側の先端を前記バックルに挿通して
前記腕部または指部に巻き付けたときに、前記腕部または指部と前記バックルとの間に挟
まれる態様で位置し、前記センサへの入光を遮る外光遮断部を設けたことを特徴とする。
【０００９】
この場合において、前記外光遮断部は、前記バックルの取り付け位置を変更せずに前記
一端側の先端を巻き付け方向へ延ばす態様で形成されていてもよい。
また、生体情報機器であって、前記外光遮断部は、この外光遮断部以外の部分と比較し
て、屈曲し難い固さに形成されていてもよい。
また、生体情報機器であって、前記外光遮断部の外側部に補強部材を装着してもよい。
さらに、生体情報機器であって、前記外光遮断部を袋状に形成し、この外光遮断部の内
部に補強部材を挿入することもできる。
さらにまた、生体情報機器であって、前記外光遮断部の表面を低摩擦材で形成すること
もできる。
【００１０】
他方、生体情報機器であって、前記バンドは、前記本体部を腕部に装着するための本体
部装着用バンドを兼ねるようにしてもよい。
【発明の効果】
【００１１】
本発明では、センサ装着用バンドは、巻き付け方向における一端側にバックルを取り付
け、他端側の先端を前記バックルに挿通して前記腕部または指部に巻き付けたときに、前
記腕部または指部と前記バックルとの間に挟まれる態様で位置し、前記センサへの入光を
遮る外光遮断部を設けているので、バックルにセンサ装着用バンドを挿通させたときに生
じるバックルの部分での隙間を外光遮断部で塞ぐことができ、この隙間の部分から外部の
光が入り込まないようにすることができる。その結果、外部から入り込む光によってセン
サの検出誤差が生じないようにすることができる。
【発明を実施するための最良の形態】
【００１２】
以下、本発明の実施の形態に係るセンサ装着用バンド４０および生体情報機器１につい
て説明する。なお、本実施の形態で示す生体情報機器１とは、生体情報として脈拍を用い
、生体情報値として脈拍数を検出するものである。この生体情報機器１は、例えば、利用
者が運動（ランニングなど）をしているときであっても、生体情報（本実施例では脈拍数
とする）を確認することができるものである。
【００１３】
図１は、本実施の形態に係る生体情報機器１を利用者の腕部Ｔ（リスト部）に装着した
状態を示す概要図である。
生体情報機器１は、腕時計構造を有する本体部１０と、この本体部１０に接続されるケ
ーブル２０と、このケーブル２０の先端に設けられた脈拍センサ３０と、この脈拍センサ
３０を利用者の腕部Ｔに挟み込む態様でその腕部Ｔに装着するためのセンサ装着用バンド
４０とを備えている。このセンサ装着用バンド４０は、図１に示すように、本体部１０の
付近であって、腕部Ｔの延在方向に並べて装着されている。
【００１４】
本体部１０には、腕時計における１２時方向から腕に巻きついてその６時方向で固定さ
れるリストバンド１２が設けられている。このリストバンド１２によって、本体部１０は
、腕に着脱自在に装着されている。また、本体部１０の６時の側には、コネクタ部７０が
設けられており、このコネクタ部７０にケーブル２０の一端側に設けられたコネクタピー
ス８０が着脱自在に取り付けられるようになっている。
【００１５】
図２は、本体部１０を単体で示す平面図であって、リストバンド１２やケーブル２０な
どを取り外した状態を示している。
本体部１０は、樹脂製の時計ケース１１（本体ケース）を備えている。時計ケース１１
の表面側には、現在時刻や日付に加えて、走行時や歩行時のピッチ、及び脈拍数などの脈
波情報などを表示するＥＬバックライト付きの液晶表示装置１３（表示装置）が設けられ
ている。液晶表示装置１３には、表示面の左上側に位置する第１のセグメント表示領域１
３１、右上側に位置する第２のセグメント表示領域１３２、右下側に位置する第３のセグ
メント表示領域１３３、及び左下側に位置するドット表示領域１３４が構成されており、
ドット表示領域１３４では、各種の情報をグラフィック表示可能である。
時計ケース１１の内部には、ピッチを求めるための体動センサ（図示せず）が内蔵され
ている。この体動センサとしては、加速度センサなどを用いることができる。
【００１６】
また、時計ケース１１の内部には、各種の制御やデータ処理を行う制御部５が設けられ
ている。この制御部５は、上述した体動センサによる検出結果（体動信号）および脈拍セ
ンサ３０による検出結果（脈波信号）に基づいて、測定対象者である利用者の脈拍数を解
析し、液晶表示装置１３で表示する。この場合において、制御部５には、計時回路も構成
されているため、通常時刻なども液晶表示装置１３に表示可能となっている。
【００１７】
時計ケース１１の外周部には、入力装置を構成し、時刻合わせや表示モードの切り換え
などの外部操作を行うためのボタンスイッチ１１１〜１１５が設けられている。また、時
計ケースの表面には、同じく、入力装置を構成する、大きめのボタンスイッチ１１６、１
１７が構成されている。
また、生体情報機器１の電源は、時計ケース１１に内蔵されているボタン形の小型の電
池５９であり、ケーブル２０は、電池５９から脈拍センサ３０に電力を供給するとともに
、脈拍センサ３０の検出結果を時計ケース１１の制御部５に入力している。
【００１８】
図３は、脈拍センサ３０の断面図である。
脈拍センサ３０は、そのケース体の内部に回路基板３５が配置されており、この回路基
板３５には、ＬＥＤ３１、フォトトランジスタ３２、その他の電子部品が実装されている
。この脈拍センサ３０では、センサ枠３６の上面部分（実質的な脈波信号検出部）にガラ
ス板からなる透光板３４によって光透過窓が形成されている。そして、この透光板３４に
対して、ＬＥＤ３１及びフォトトランジスタ３２は、それぞれ発光面及び受光面を透光板
３４の方に向けている。このため、透光板３４の外側表面４４１（指表面との接触面／セ
ンサ面）に指表面を密着させると、ＬＥＤ３１は、指表面の側に向けて光を発する。これ
とともに、フォトトランジスタ３２は、ＬＥＤ３１が発した光のうち利用者の腕部から反
射してくる光を受光可能である。
【００１９】
本実施形態では、ＬＥＤ３１として、ＩｎＧａＮ系（インジウム−ガリウム−窒素系）
の青色ＬＥＤを用いてあり、その発光スペクトルは、４５０ｎｍに発光ピークを有してい
る。さらにＬＥＤ３１の発光波長領域は、３５０ｎｍから６００ｎｍまでの範囲にある。
かかる発光特性を有するＬＥＤ３１に対応させて、本例では、フォトトランジスタ３２と
して、ＧａＡｓＰ系（ガリウム−砒素−リン系）のフォトトランジスタを用いている。フ
ォトトランジスタ３２自身の受光波長領域は、主要感度領域が３００ｎｍから６００ｎｍ
までの範囲にあって、３００ｎｍ以下にも感度領域がある。
【００２０】
このように構成した脈拍センサ３０を、センサ装着用バンド４０によって腕部Ｔに装着
し、この状態で、ＬＥＤ３１から指に向けて光を照射すると、この光が血管に届いて血液
中のヘモグロビンによって光の一部が吸収され、一部が反射する。指（血管）から反射し
てきた光は、フォトトランジスタ３２によって受光され、その受光量変化が血量変化（血
液の脈波）に対応する。すなわち、血量が多いときには、反射光が弱くなる一方、血量が
少なくなると、反射光が強くなるので、反射光強度の変化を検出すれば、脈拍数を含む各
種生体情報などを計測できる。
【００２１】
図４（ａ）は、センサ装着用バンド４０を単体で示す正面図、図４（ｂ）は、（ａ）の
側面図である。また、図５は、センサ装着用バンド４０を腕部に巻き付けた状態の斜視図
である。
センサ装着用バンド４０は、腕部Ｔの周方向に長手方向を向けて巻き付けられるバンド
部４１と、このバンド部４１を締め付ける際にバンド部４１が引っ掛けられるバックル部
４２と、このバックル部４２をバンド部４１に取り付けるための保持部４３とを備えてい
る。なお、図４（ａ）において、バンド部４１の裏面４１Ｘが利用者の腕部Ｔと接する面
であり、表面４１Ｙが外側に向くように取り付けられる。
【００２２】
バックル部４２は、図４（ａ）に示すように、棒状の部材を折り曲げて略矩形状の輪を
形成したものである。この輪の幅方向の長さは、バンド部４１の幅方向の長さよりも大き
くなっており、この輪の中にバンド部４１を挿通できるようになっている。
保持部４３は、帯状部材で輪を形成したものであり、この保持部４３の基端部４３ａが
バンド部４１に固定されている。また、この保持部４３は、前述した輪の中にバックル部
４２の１辺を巻くようにして保持している。これにより、バックル部４２が保持部４３を
介してバンド部４１に取り付けられている。
【００２３】
バンド部４１は、伸縮性を有している。すなわち、このバンド部４１が腕部Ｔに巻き付
けられて締め付けられる際に、バンド部４１はその長手方向に伸びるようになる。また、
このバンド部４１の長手方向の寸法Ｌは、あらゆる利用者の腕部Ｔの太さまたは周方向の
長さを十分に考慮して、十分に長く形成してある。一方、バンド部４１の幅方向（長手方
向と直交する方向）の長さＬ２は、脈拍センサ３０の長さＬ１（図３参照）よりも十分に
長くなるように形成されている。すなわち、脈拍センサ３０が装着されるときに、このセ
ンサ装着用バンド４０によって脈拍センサ３０の全体が覆われるようになっている。これ
により、脈拍センサ３０は、センサ装着用バンド４０の外部から遮光された状態で利用者
の腕部Ｔに装着されるようになる。
【００２４】
また、このバンド部４１には、上述した保持部４３がバンド部４１に固定されている基
端部４３ａからバンド部４１をその長手方向の一方の先端に向けて延ばす態様で外光遮断
部４１ａが一体に形成されている。この外光遮断部４１ａは、図５に示すように、バンド
部４１を腕部Ｔに巻き付けた状態において、この腕部Ｔとバックル部４２との間に挟まれ
る態様で位置するようになる。また、この外光遮断部４１ａの延在する長さＤ１は、バッ
クル部４２の長さＤ２よりも長く形成されており、バックル部４２の下側（腕部Ｔと向き
合う側）に外光遮断部４１ａが隙間ないように敷かれるようになる。
【００２５】
このバンド部４１の表面４１Ｙ側には、外光遮断部４１ａと反対側の先端部４１ｂにマ
ジックテープ（登録商標）の爪部４４が設けられている。一方、この爪部４４の終端から
基端部４３ａまでの間には、この爪部４４が取り付けられるマジックテープ（登録商標）
の生地部４５が設けられている。この爪部４４と生地部４５は、既知の通り、人間の力で
自由に固定したり剥がしたりすることができるものである。これにより、バンド部４１の
固定位置を自由に調整、変更することができるようになっている。
【００２６】
このバンド部４１を腕部Ｔに巻き付ける手順としては、図５に示すように、バンド部４
１を腕部Ｔに巻き付けるときにバンド部４１の先端部４１ｂをバックル部４２の輪の中に
挿通させ、この先端部４１ｂを巻き付け方向と反対側の方向に折り返して引っ張り、上述
した爪部４４を生地部４５に取り付ける。このようにバンド部４１を巻き付け方向と反対
側に引っ張ることにより、バンド部４１に張力を発生させることができる。一方、脈拍セ
ンサ３０には、このバンド部４１に発生した張力によって、腕部Ｔに押圧する押圧力Ｆが
作用することになる。
【００２７】
一方、この脈拍センサ３０は、精度良く脈拍数を検出可能な圧力で腕部Ｔに押圧される
必要がある。そのため、このバンド部４１には、脈拍センサ３０に適正な押圧力Ｆを付与
するために、図４（ａ）に示すように、巻き付ける前に腕部Ｔの周方向の長さを測定する
測定部２００と、この測定部で測定した長さに基づいて固定位置（バンド部４１に適度な
張力を与えることのできる固定位置）を表示する固定指示部２１０とが設けられている。
【００２８】
測定部２００は、図４（ａ）に示すように、３つの測定領域２０１（図４（ａ）の右側
から、符号２０１ａ、２０１ｂ、２０１ｃで示す）で構成されている。これらの測定領域
２０１ａ、２０１ｂ、２０１ｃは、バンド部４１の長手方向（バンド部４１の巻き付け方
向）に所定の長さ毎に区分けされており、それぞれの領域が異なる色によって表示されて
いる。
一方、固定指示部２１０についても、図４（ａ）に示すように、３つの固定指示領域２
１１（図４（ａ）の右側から、符号２１１ａ、２１１ｂ、２１１ｃで示す）で構成されて
いる。また、これらの固定指示領域２１１ａ、２１１ｂ、２１１ｃは、バンド部４１の長
手方向（バンド部４１の巻き付け方向）に所定の長さ毎に区分けされており、それぞれの
領域が異なる色によって表示されている。
【００２９】
これらの３段階に区分けされた固定指示領域２１１ａ、２１１ｂ、２１１ｃは、それぞ
れの測定領域２０１ａ、２０１ｂ、２０１ｃとそれぞれ対応している。詳細には、測定領
域２０１ａ（緑色）と固定指示領域２１１ａ（緑色）、測定領域２０１ｂ（青色）と固定
指示領域２１１ｂ（青色）、測定領域２０１ｃ（赤色）と固定指示領域２１１ｃ（赤色）
とがそれぞれ対応しており、測定部２００の色と同色に表示された色の部分に対応させて
バンド部４１を固定指示部２１０に固定することにより、脈拍センサ３０に適正な押圧力
Ｆを作用させることができる。
【００３０】
また、脈拍センサ３０は、図５に示すように、保持部４３の基端部４３ａの近傍に配置
される。これは、脈拍センサ３０に押圧力Ｆを作用させるときに、バンド部４１の張力を
調整する基準点となるバックル部４２（より詳細には、基端部４３ａ）の付近に配置した
方が、より正確な押圧力Ｆを管理することができるからである。
【００３１】
図６は、外光遮断部４１ａを拡大して示す斜視図である。また、図７は、図５に示す外
光遮断部４１ａを拡大して示す断面図であって、隙間４８が発生した状態を示している。
バンド部４１に適正な張力を作用させる過程において、バックル部４２に挿通させたバ
ンド部４１を巻き付け方向と反対側の方向に引っ張ると、バンド部４１の裏面４１Ｘと、
外光遮断部４１ａの表面４１Ｚとに摩擦が生じ、図７に示すように、外光遮断部４１ａが
上側にくの字形状に屈曲し、腕部Ｔと外光遮断部４１ａとの間に隙間４８が生じてしまう
おそれがある。この隙間４８が発生すると、センサ装着用バンド４０の外側から光が隙間
４８内に入り込んでしまい、脈拍センサ３０にこの光が当たると、検出誤差が生じてしま
う。
そのため、外光遮断部４１ａは、図６に示すように、その端部に開口部４６を有する袋
状に形成され、この袋状の内部に補強部材としての機能を有する芯材４７が挿入されるよ
うになっている。この芯材４７を挿入することによって、外光遮断部４１ａがバンド部４
１の他の部分（外光遮断部４１ａ以外の部分）と比較して屈曲し難い固さになり、上述し
た隙間４８の発生を防止するようにしている。
【００３２】
この芯材４７は、略矩形形状をなしており、図６に示すように、外光遮断部４１ａの延
在する長さＤ１と同じ長さまたは若干小さい長さＤ３に形成されている。また芯材４７の
幅方向の長さＤ４は、袋状部分の内幅と同じ長さまたは若干小さい長さに形成されている
。これらの寸法に形成することにより、芯材４７が外光遮断部４１ａの開口部４６から挿
入可能になっている。他方、芯材４７の材料及び厚みは、上述した外光遮断部４１ａの屈
曲を抑制することができ、かつ、腕部Ｔに装着したときに腕部Ｔの形状に沿って変形する
ことができる範囲内で自由に決定することができる。例えば、材料としてプラスチックな
どが使用可能である。
【００３３】
また、外光遮断部４１ａの表面４１Ｚは、バンド部４１の裏面４１Ｘとの間に生じる摩
擦を低減させるために、外光遮断部４１ａ以外の裏面４１Ｘ、表面４１Ｙと比較して摩擦
係数の小さな低摩擦材料で構成されている。また、摩擦を低減させるために、表面４１Ｚ
を凹凸のない滑らかな面で形成している。
なお、この摩擦を低減させる構造としては、表面４１Ｚに低摩擦材で形成された摺動部
材を設ける構造であってもよく、さらには表面４１Ｚに低摩擦材料を塗布したものであっ
てもよい。
【００３４】
本発明の実施の形態に係るセンサ装着用バンド４０および生体情報機器１によれば、巻
き付け方向における一端側にバックル部４２を設け、他端側の先端部４１ｂをバックル部
４２に挿通して腕部Ｔに巻き付けたときに、腕部Ｔとバックル部４２との間に挟まれる態
様で位置し、脈拍センサ３０への入光を遮る外光遮断部４１ａを設けているので、バック
ル部４２にセンサ装着用バンド４０を挿通させたときに生じるバックル部４２での隙間を
外光遮断部４１ａで塞ぐことができ、この隙間の部分から脈拍センサ３０に外部の光が入
り込まないようにすることができる。その結果、外部から入り込む光によって脈拍センサ
３０の検出誤差が生じないようにすることができる。
【００３５】
また、外光遮断部４１ａは、基端部４３ａからバンド部４１をその長手方向の一方の先
端に向けて延ばす態様で一体に形成されているので、外光遮断部４１ａをバンド部４１と
別体で構成する場合と比較して、部品点数の削減を図ることができる。また、バンド部４
１を製造する際に、一緒に外光遮断部４１ａを製作することができるので、製作が容易に
なる。
【００３６】
さらに、外光遮断部４１ａを袋状に形成し、この外光遮断部４１ａの内部に補強部材で
ある芯材４７を挿入しているので、外光遮断部４１ａがバンド部４１の他の部分（外光遮
断部４１ａ以外の部分）と比較して屈曲し難い固さになり、外光遮断部４１ａが上側にく
の字形状に屈曲して、腕部Ｔと外光遮断部４１ａとの間に隙間４８が発生するのを防止す
ることができる。その結果、隙間４８から入り込む光によって脈拍センサ３０の検出誤差
が生じないようにすることができる。
【００３７】
さらにまた、外光遮断部４１ａの表面４１Ｚを低摩擦材で形成しているので、バンド部
４１の裏面４１Ｘと当接したときの摩擦を低減させることができる。そのため、外光遮断
部４１ａが上側にくの字形状に屈曲して、腕部Ｔと外光遮断部４１ａとの間に隙間４８が
発生するのを防止することができる。その結果、隙間４８から入り込む光によって脈拍セ
ンサ３０の検出誤差が生じないようにすることができる。
【００３８】
以上、本発明の実施の形態について述べたが、本発明は既述の実施形態に限定されるも
のではなく、本発明の技術思想に基づいて各種の変形および変更が可能である。
本実施の形態では、センサ装着用バンド４０を利用者の腕部Ｔに巻き付けるようにした
が、図８および図９に示すように、利用者の指部Ｓに巻き付けるようにしてもよい。この
場合、指部Ｓとは、５本の指のうち測定に適した任意の指を示す。また、脈拍センサ３０
は、腕部Ｔに装着される場合と同様に、センサ装着用バンド４０によって指部Ｓとの間に
挟まれる態様で、かつ外部から遮光されるように脈拍センサ３０の全体を覆う態様で巻き
付けられ、センサ装着用バンド４０に生じる張力によって脈拍センサ３０が指部Ｓに押圧
されるようになる。このように、脈拍センサ３０を指の根元に装着することにより、ケー
ブル２０を短くすることができ、ケーブル２０がランニング中に邪魔にならないようにす
ることができる。
【００３９】
また、本実施の形態では、図１に示すように、センサ装着用バンド４０と本体部１０と
を腕部の延在方向に並べて装着しているが、センサ装着用バンド４０に本体部１０を取り
付けて、これらを一体に構成してもよい。これによれば、本体部１０を装着するためのリ
ストバンド１２を設ける必要がなくなり、生体情報機器１の製造コストを低減させること
ができる。また、ケーブル２０をバンド部４１の内部に埋め込むことにより、ケーブル２
０の引き回しを不要とし、コストを低減させることもできる。また、利用者にケーブル２
０が嵩張ることによる違和感を与えることがない。
【００４０】
一方、本実施の形態では、外光遮断部４１ａが基端部４３ａからバンド部４１をその長
手方向の一方の先端に向けて延ばす態様で一体に形成するように構成しているが、バンド
部４１と別体であってもかまわない。例えば、外光遮断部４１ａをバンド部４１の基端部
４３ａに後工程で縫いつけて構成してもよい。これによっても、実施の形態に記載の構造
と同様に、脈拍センサ３０に外部からの光が入り込み難くすることができる。
【００４１】
さらに、芯材４７の寸法Ｄ４を外光遮断部４１ａ内に形成した袋状部分の内幅とほぼ等
しくなるように形成しているが、この芯材４７は、外光遮断部４１ａの延在方向における
屈曲を防止するものであるため、芯材４７のＤ３寸法を確保しておけば、芯材４７の寸法
Ｄ４を袋状部分の内幅いっぱいまで大きくする必要はない。すなわち、芯材４７の幅方向
においける一部であってもよい。さらには、芯材を幅方向で分割して複数設けてあっても
よい。
【００４２】
また、外光遮断部４１ａを袋状にして芯材４７を挿入する構造にしなくても、外光遮断
部４１ａの固さを、この外光遮断部４１ａ以外の部分と比較して屈曲し難い固さに形成す
ることもできる。例えば、バンド部４１と外光遮断部４１ａとを一体に製作する際に、こ
の外光遮断部４１ａの厚みだけ他の部分と比較して厚く形成することで、他の部分と比較
して固くすることができる。または、予め芯材を外光遮断部４１ａに埋め込んでおくこと
もできる。また、補強部材である芯材４７を外光遮断部４１ａの外側部に縫い付けたりし
て装着しておくこともできる。さらに、芯材の方を袋状に形成して外光遮断部４１ａの外
側に差し込むようにしたり、芯材を帯状に形成して、外光遮断部４１ａの外側部に着脱自
在に巻き付ける（装着する）ようにしてもよい。これにより、外光遮断部４１ａを屈曲し
難い固さに形成することができる。
なお、この芯材４７を外光遮断部４１ａの表面４１Ｚの外側に設ける場合には、この芯
材４７の表面を低摩擦材で形成して、外光遮断部４１ａが上側にくの字形状に屈曲して、
腕部Ｔと外光遮断部４１ａとの間に隙間４８が発生するのを防止することもできる。
【００４３】
また、本実施の形態では、外光遮断部４１ａの表面４１Ｚを低摩擦材で形成しているが
、この表面４１Ｚと接触するバンド部４１の裏面４１Ｘを低摩擦材で形成するものであっ
てもよい。これにより、外光遮断部４１ａを屈曲し難くすることができる。
【００４４】
他方、本実施の形態では、生体情報として脈拍数を表示するように説明したが、脈拍数
に限らない。例えば、生体情報として、体温、血圧、脈波、動脈血中の酸素飽和度、体動
等が具体例として挙げられる。
【図面の簡単な説明】
【００４５】
【図１】生体情報機器を利用者の腕部Ｔに装着した状態を示す概要図である。
【図２】本体部を単体で示す平面図である。
【図３】脈拍センサの断面図である。
【図４】センサ装着用バンドを単体で示す正面図、及びその側面図である。
【図５】センサ装着用バンドを腕部に巻き付けた状態を示す斜視図である。
【図６】外光遮断部を拡大して示す斜視図である。
【図７】図５に示す外光遮断部の部分を拡大して示す断面図である。
【図８】センサ装着用バンドを指部に装着した状態を示す斜視図である。
【図９】図８の側面図である。
【符号の説明】
【００４６】
１…生体情報機器、１０…本体部、１１…時計ケース、１２…リストバンド（本体部装
着バンド）、２０…ケーブル、３０…脈拍センサ、４０…センサ装着用バンド、４１…バ
ンド部、４１Ｘ…裏面、４１Ｙ…表面、４１Ｚ…外光遮断部の表面、４１ａ…外光遮断部
、４１ｂ…先端部、４２…バックル部、４３…保持部、４３ａ…基端部、４４…爪部、４
５…生地部、４６…開口部、４７…芯材、４８…隙間、２００…測定部、２１０…固定指
示部、Ｓ…指部、Ｔ…腕部。
【図１】
2009100972.tif 000003
【図２】
2009100972.tif 000004
【図３】
2009100972.tif 000005
【図４】
2009100972.tif 000006
【図５】
2009100972.tif 000007
【図６】
2009100972.tif 000008
【図７】
2009100972.tif 000009
【図８】
2009100972.tif 000010
【図９】
2009100972.tif 000011